【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
６つ以上のダウンリンクコンポーネントキャリアをサポートするか、または二重物理アップリンク制御チャネル（ＰＵＣＣＨ）構成をサポートする能力を指示することと、
ダウンリンクコンポーネントキャリアの第１のグループとダウンリンクコンポーネントキャリアの第２のグループとを備える、ダウンリンクコンポーネントキャリアのマルチキャリア構成を受信することと、
第１のＰＵＣＣＨまたは第２のＰＵＣＣＨのうちの少なくとも１つを送信することと、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を備え、
前記第１のＰＵＣＣＨが、前記マルチキャリア構成の第１のアップリンクコンポーネントキャリア上に構成され、前記第２のＰＵＣＣＨが、前記マルチキャリア構成の第２のアップリンクコンポーネントキャリア上に構成され、
前記第１のアップリンクコンポーネントキャリアが１次セルグループに対応し、前記第２のアップリンクコンポーネントキャリアが２次セルグループに対応し、
前記１次セルグループが第１の基地局に関連付けられ、前記２次セルグループが第２の基地局に関連付けられる、ワイヤレス通信のための方法。
【請求項２】
前記第１のＰＵＣＣＨ用の第１のハイブリッド自動再送要求（ＨＡＲＱ）ペイロードサイズと前記第２のＰＵＣＣＨ用の第２のＨＡＲＱペイロードサイズとを決定すること
をさらに備え、前記第１のＨＡＲＱペイロードサイズおよび前記第２のＨＡＲＱペイロードサイズの合計ＨＡＲＱペイロードサイズがしきい値を超え、特に、前記しきい値が２０ビットである、請求項１に記載の方法。
【請求項３】
前記第１のＰＵＣＣＨおよび前記第２のＰＵＣＣＨが、共通アップリンクコンポーネントキャリア上に構成され、
特に、前記第２のＰＵＣＣＨ用のリソースが、前記第１のＰＵＣＣＨ用のリソースに少なくとも部分的に基づいて決定され、
または特に、前記第１のＰＵＣＣＨ用のリソースが、ダウンリンクコンポーネントキャリアの前記第１のグループ内の情報に少なくとも部分的に基づいて決定され、前記第２のＰＵＣＣＨ用のリソースが、ダウンリンクコンポーネントキャリアの前記第２のグループ内の情報に少なくとも部分的に基づいて決定される、請求項１に記載の方法。
【請求項４】
前記第１の基地局および前記第２の基地局が、非理想バックホールリンクを介して通信している、請求項１に記載の方法。
【請求項５】
前記第１のグループの前記ダウンリンクコンポーネントキャリア用のハイブリッド自動再送要求（ＨＡＲＱ）ペイロードサイズに基づいて、前記第１のＰＵＣＣＨ用の第１の電力制御値を決定することと、
前記第２のグループの前記ダウンリンクコンポーネントキャリア用のＨＡＲＱペイロードサイズに基づいて、前記第２のＰＵＣＣＨ用の第２の電力制御値を決定することと
をさらに備えか、または、
前記第１のグループの前記ダウンリンクコンポーネントキャリア用のハイブリッド自動再送要求（ＨＡＲＱ）ペイロードサイズ、前記第２のグループの前記ダウンリンクコンポーネントキャリア用のＨＡＲＱペイロードサイズ、または、前記第１のグループの前記ダウンリンクコンポーネントキャリアと前記第２のグループの前記ダウンリンクコンポーネントキャリアの両方のＨＡＲＱペイロードサイズに基づいて、物理アップリンク共有チャネル（ＰＵＳＣＨ）オフセットを調整すること
をさらに備えるか、または、
前記第１のグループのダウンリンクコンポーネントキャリアの数、前記第２のグループのダウンリンクコンポーネントキャリアの数、または前記第１のグループと前記第２のグループの両方のダウンリンクコンポーネントキャリアの数に少なくとも部分的に基づいて、非周期的なチャネル状態情報（ＣＳＩ）報告をトリガすること
をさらに備える、請求項１に記載の方法。
【請求項６】
コンポーネントキャリアの前記第１のグループまたはコンポーネントキャリアの前記第２のグループのコンポーネントキャリアが、キャリアセグメントを含むか、または、
ダウンリンクコンポーネントキャリアの前記第１のグループおよびダウンリンクコンポーネントキャリアの前記第２のグループが、時分割二重（ＴＤＤ）キャリア、周波数分割二重（ＦＤＤ）キャリア、またはＴＤＤキャリアとＦＤＤキャリアの組合せを備える、請求項１に記載の方法。
【請求項７】
前記第１のＰＵＣＣＨおよび前記第２のＰＵＣＣＨ上でスケジューリングされたチャネル状態情報（ＣＳＩ）報告に少なくとも部分的に基づいて、物理アップリンク共有チャネル（ＰＵＳＣＨ）上でアップリンク制御情報を送信すると決定すること
をさらに備える、請求項１に記載の方法。
【請求項８】
６つ以上のダウンリンクコンポーネントキャリアをサポートするか、または二重物理アップリンク制御チャネル（ＰＵＣＣＨ）構成をサポートする能力を指示するための手段と、
ダウンリンクコンポーネントキャリアの第１のグループとダウンリンクコンポーネントキャリアの第２のグループとを備える、ダウンリンクコンポーネントキャリアのマルチキャリア構成を受信するための手段と、
第１のＰＵＣＣＨまたは第２のＰＵＣＣＨのうちの少なくとも１つを送信するための手段と、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を備え、
前記第１のＰＵＣＣＨが、前記マルチキャリア構成の第１のアップリンクコンポーネントキャリア上に構成され、前記第２のＰＵＣＣＨが、前記マルチキャリア構成の第２のアップリンクコンポーネントキャリア上に構成され、
前記第１のアップリンクコンポーネントキャリアが１次セルグループに対応し、前記第２のアップリンクコンポーネントキャリアが２次セルグループに対応し、
前記１次セルグループが第１の基地局に関連付けられ、前記２次セルグループが第２の基地局に関連付けられる、ワイヤレス通信のための装置。
【請求項９】
前記第１のＰＵＣＣＨ用の第１のハイブリッド自動再送要求（ＨＡＲＱ）ペイロードサイズと前記第２のＰＵＣＣＨ用の第２のＨＡＲＱペイロードサイズとを決定するための手段
をさらに備え、前記第１のＨＡＲＱペイロードサイズおよび前記第２のＨＡＲＱペイロードサイズの合計ＨＡＲＱペイロードサイズがしきい値を超える、請求項８に記載の装置。
【請求項１０】
前記第１のＰＵＣＣＨおよび前記第２のＰＵＣＣＨが、共通アップリンクコンポーネントキャリア上に構成され、
特に、前記第２のＰＵＣＣＨ用のリソースが、前記第１のＰＵＣＣＨ用のリソースに少なくとも部分的に基づいて決定され、
または特に、前記第１のＰＵＣＣＨ用のリソースが、ダウンリンクコンポーネントキャリアの前記第１のグループ内の情報に少なくとも部分的に基づいて決定され、前記第２のＰＵＣＣＨ用のリソースが、ダウンリンクコンポーネントキャリアの前記第２のグループ内の情報に少なくとも部分的に基づいて決定される、請求項８に記載の装置。
【請求項１１】
前記第１の基地局および前記第２の基地局が、非理想バックホールリンクを介して通信している、請求項８に記載の装置。
【請求項１２】
前記第１のグループの前記ダウンリンクコンポーネントキャリア用のハイブリッド自動再送要求（ＨＡＲＱ）ペイロードサイズに基づいて、前記第１のＰＵＣＣＨ用の第１の電力制御値を決定するための手段と、
前記第２のグループの前記ダウンリンクコンポーネントキャリア用のＨＡＲＱペイロードサイズに基づいて、前記第２のＰＵＣＣＨ用の第２の電力制御値を決定するための手段と
をさらに備えるか、または、
前記第１のグループの前記ダウンリンクコンポーネントキャリア用のハイブリッド自動再送要求（ＨＡＲＱ）ペイロードサイズ、前記第２のグループの前記ダウンリンクコンポーネントキャリア用のＨＡＲＱペイロードサイズ、または、前記第１のグループの前記ダウンリンクコンポーネントキャリアと前記第２のグループの前記ダウンリンクコンポーネントキャリアの両方のＨＡＲＱペイロードサイズに基づいて、物理アップリンク共有チャネル（ＰＵＳＣＨ）オフセットを調整するための手段
をさらに備えるか、または、
前記第１のグループのダウンリンクコンポーネントキャリアの数、前記第２のグループのダウンリンクコンポーネントキャリアの数、または前記第１のグループと前記第２のグループの両方のダウンリンクコンポーネントキャリアの数に少なくとも部分的に基づいて、非周期的なチャネル状態情報（ＣＳＩ）報告をトリガするための手段
をさらに備える、請求項８に記載の装置。
【請求項１３】
コンポーネントキャリアの前記第１のグループまたはコンポーネントキャリアの前記第２のグループのコンポーネントキャリアが、キャリアセグメントを含む、請求項８に記載の装置。
【請求項１４】
前記第１のＰＵＣＣＨおよび前記第２のＰＵＣＣＨ上でスケジューリングされたチャネル状態情報（ＣＳＩ）報告に少なくとも部分的に基づいて、物理アップリンク共有チャネル（ＰＵＳＣＨ）上でアップリンク制御情報を送信すると決定するための手段
をさらに備える、請求項８に記載の装置。
【請求項１５】
コンピュータ上で実行されると、請求項１〜７のいずれか一項に記載の方法を実施するための命令を備えるコンピュータプログラム。
【手続補正２】
【補正対象書類名】明細書
【補正対象項目名】０１２０
【補正方法】変更
【補正の内容】
【０１２０】
[0135]本開示のこれまでの説明は、当業者が本開示を作成または使用することを可能にするように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、例または事例を示すものであり、言及された例に対するいかなる選好も暗示せず、または必要としない。したがって、本開示は、本明細書に記載された例および設計に限定されるべきでなく、本明細書で開示される原理および新規の特徴に合致する最も広い範囲を与えられるべきである。
以下に、本願の出願当初の特許請求の範囲に記載された発明を付記する。
［Ｃ１］
６つ以上のダウンリンクコンポーネントキャリアをサポートするか、または二重物理アップリンク制御チャネル（ＰＵＣＣＨ）構成をサポートする能力を指示することと、
ダウンリンクコンポーネントキャリアの第１のグループとダウンリンクコンポーネントキャリアの第２のグループとを備える、６つ以上のダウンリンクコンポーネントキャリアのマルチキャリア構成を受信することと、
第１のＰＵＣＣＨまたは第２のＰＵＣＣＨのうちの少なくとも１つを送信することと、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を備える、ワイヤレス通信のための方法。
［Ｃ２］
前記第１のＰＵＣＣＨ用の第１のハイブリッド自動再送要求（ＨＡＲＱ）ペイロードサイズと前記第２のＰＵＣＣＨ用の第２のＨＡＲＱペイロードサイズとを決定すること、前記第１のＨＡＲＱペイロードサイズおよび前記第２のＨＡＲＱペイロードサイズの合計ＨＡＲＱペイロードサイズがしきい値を超える
をさらに備える、Ｃ１に記載の方法。
［Ｃ３］
前記しきい値が２０ビットである、Ｃ２に記載の方法。
［Ｃ４］
前記第１のＰＵＣＣＨおよび前記第２のＰＵＣＣＨが、共通アップリンクコンポーネントキャリア上に構成される、Ｃ１に記載の方法。
［Ｃ５］
前記第２のＰＵＣＣＨ用のリソースが、前記第１のＰＵＣＣＨ用のリソースに少なくとも部分的に基づいて決定される、Ｃ４に記載の方法。
［Ｃ６］
前記第１のＰＵＣＣＨ用のリソースが、ダウンリンクコンポーネントキャリアの前記第１のグループ内の情報に少なくとも部分的に基づいて決定され、前記第２のＰＵＣＣＨ用のリソースが、ダウンリンクコンポーネントキャリアの前記第２のグループ内の情報に少なくとも部分的に基づいて決定される、Ｃ４に記載の方法。
［Ｃ７］
前記第１のＰＵＣＣＨが、前記マルチキャリア構成の第１のアップリンクコンポーネントキャリア上に構成され、前記第２のＰＵＣＣＨが、前記マルチキャリア構成の第２のアップリンクコンポーネントキャリア上に構成される、Ｃ１に記載の方法。
［Ｃ８］
前記第１のアップリンクコンポーネントキャリアが１次セルグループに対応し、前記第２のアップリンクコンポーネントキャリアが２次セルグループに対応する、Ｃ７に記載の方法。
［Ｃ９］
前記１次セルグループが第１の基地局に関連付けられ、前記２次セルグループが第２の基地局に関連付けられ、前記第１の基地局および前記第２の基地局が、非理想バックホールリンクを介して通信している、Ｃ８に記載の方法。
［Ｃ１０］
前記第１のグループの前記ダウンリンクコンポーネントキャリア用のハイブリッド自動再送要求（ＨＡＲＱ）ペイロードサイズに基づいて、前記第１のＰＵＣＣＨ用の第１の電力制御値を決定することと、
前記第２のグループの前記ダウンリンクコンポーネントキャリア用のＨＡＲＱペイロードサイズに基づいて、前記第２のＰＵＣＣＨ用の第２の電力制御値を決定することと
をさらに備える、Ｃ１に記載の方法。
［Ｃ１１］
前記第１のグループの前記ダウンリンクコンポーネントキャリア用のハイブリッド自動再送要求（ＨＡＲＱ）ペイロードサイズ、前記第２のグループの前記ダウンリンクコンポーネントキャリア用のＨＡＲＱペイロードサイズ、または、前記第１のグループの前記ダウンリンクコンポーネントキャリアと前記第２のグループの前記ダウンリンクコンポーネントキャリアの両方のＨＡＲＱペイロードサイズに基づいて、物理アップリンク共有チャネル（ＰＵＳＣＨ）オフセットを調整すること
をさらに備える、Ｃ１に記載の方法。
［Ｃ１２］
前記第１のグループのダウンリンクコンポーネントキャリアの数、前記第２のグループのダウンリンクコンポーネントキャリアの数、または前記第１のグループと前記第２のグループの両方のダウンリンクコンポーネントキャリアの数に少なくとも部分的に基づいて、非周期的なチャネル状態情報（ＣＳＩ）報告をトリガすること
をさらに備える、Ｃ１に記載の方法。
［Ｃ１３］
コンポーネントキャリアの前記第１のグループまたはコンポーネントキャリアの前記第２のグループのコンポーネントキャリアが、キャリアセグメントを含む、Ｃ１に記載の方法。
［Ｃ１４］
ダウンリンクコンポーネントキャリアの前記第１のグループおよびダウンリンクコンポーネントキャリアの前記第２のグループが、時分割二重（ＴＤＤ）キャリア、周波数分割二重（ＦＤＤ）キャリア、またはＴＤＤキャリアとＦＤＤキャリアの組合せを備える、Ｃ１に記載の方法。
［Ｃ１５］
前記第１のＰＵＣＣＨおよび前記第２のＰＵＣＣＨ上でスケジューリングされたチャネル状態情報（ＣＳＩ）報告に少なくとも部分的に基づいて、物理アップリンク共有チャネル（ＰＵＳＣＨ）上でアップリンク制御情報を送信すると決定すること
をさらに備える、Ｃ１に記載の方法。
［Ｃ１６］
６つ以上のダウンリンクコンポーネントキャリアをサポートするか、または二重物理アップリンク制御チャネル（ＰＵＣＣＨ）構成をサポートする能力を指示するための手段と、
ダウンリンクコンポーネントキャリアの第１のグループとダウンリンクコンポーネントキャリアの第２のグループとを備える、６つ以上のダウンリンクコンポーネントキャリアのマルチキャリア構成を受信するための手段と、
第１のＰＵＣＣＨまたは第２のＰＵＣＣＨのうちの少なくとも１つを送信するための手段と、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を備える、ワイヤレス通信のための装置。
［Ｃ１７］
前記第１のＰＵＣＣＨ用の第１のハイブリッド自動再送要求（ＨＡＲＱ）ペイロードサイズと前記第２のＰＵＣＣＨ用の第２のＨＡＲＱペイロードサイズとを決定するための手段、前記第１のＨＡＲＱペイロードサイズおよび前記第２のＨＡＲＱペイロードサイズの合計ＨＡＲＱペイロードサイズがしきい値を超える
をさらに備える、Ｃ１６に記載の装置。
［Ｃ１８］
前記第１のＰＵＣＣＨおよび前記第２のＰＵＣＣＨが、共通アップリンクコンポーネントキャリア上に構成される、Ｃ１６に記載の装置。
［Ｃ１９］
前記第２のＰＵＣＣＨ用のリソースが、前記第１のＰＵＣＣＨ用のリソースに少なくとも部分的に基づいて決定される、Ｃ１８に記載の装置。
［Ｃ２０］
前記第１のＰＵＣＣＨ用のリソースが、ダウンリンクコンポーネントキャリアの前記第１のグループ内の情報に少なくとも部分的に基づいて決定され、前記第２のＰＵＣＣＨ用のリソースが、ダウンリンクコンポーネントキャリアの前記第２のグループ内の情報に少なくとも部分的に基づいて決定される、Ｃ１８に記載の装置。
［Ｃ２１］
前記第１のＰＵＣＣＨが、前記マルチキャリア構成の第１のアップリンクコンポーネントキャリア上に構成され、前記第２のＰＵＣＣＨが、前記マルチキャリア構成の第２のアップリンクコンポーネントキャリア上に構成される、Ｃ１６に記載の装置。
［Ｃ２２］
前記第１のアップリンクコンポーネントキャリアが１次セルグループに対応し、前記第２のアップリンクコンポーネントキャリアが２次セルグループに対応する、Ｃ２１に記載の装置。
［Ｃ２３］
前記１次セルグループが第１の基地局に関連付けられ、前記２次セルグループが第２の基地局に関連付けられ、前記第１の基地局および前記第２の基地局が、非理想バックホールリンクを介して通信している、Ｃ２２に記載の装置。
［Ｃ２４］
前記第１のグループの前記ダウンリンクコンポーネントキャリア用のハイブリッド自動再送要求（ＨＡＲＱ）ペイロードサイズに基づいて、前記第１のＰＵＣＣＨ用の第１の電力制御値を決定するための手段と、
前記第２のグループの前記ダウンリンクコンポーネントキャリア用のＨＡＲＱペイロードサイズに基づいて、前記第２のＰＵＣＣＨ用の第２の電力制御値を決定するための手段と
をさらに備える、Ｃ１６に記載の装置。
［Ｃ２５］
前記第１のグループの前記ダウンリンクコンポーネントキャリア用のハイブリッド自動再送要求（ＨＡＲＱ）ペイロードサイズ、前記第２のグループの前記ダウンリンクコンポーネントキャリア用のＨＡＲＱペイロードサイズ、または、前記第１のグループの前記ダウンリンクコンポーネントキャリアと前記第２のグループの前記ダウンリンクコンポーネントキャリアの両方のＨＡＲＱペイロードサイズに基づいて、物理アップリンク共有チャネル（ＰＵＳＣＨ）オフセットを調整するための手段
をさらに備える、Ｃ１６に記載の装置。
［Ｃ２６］
前記第１のグループのダウンリンクコンポーネントキャリアの数、前記第２のグループのダウンリンクコンポーネントキャリアの数、または前記第１のグループと前記第２のグループの両方のダウンリンクコンポーネントキャリアの数に少なくとも部分的に基づいて、非周期的なチャネル状態情報（ＣＳＩ）報告をトリガするための手段
をさらに備える、Ｃ１６に記載の装置。
［Ｃ２７］
コンポーネントキャリアの前記第１のグループまたはコンポーネントキャリアの前記第２のグループのコンポーネントキャリアが、キャリアセグメントを含む、Ｃ１６に記載の装置。
［Ｃ２８］
前記第１のＰＵＣＣＨおよび前記第２のＰＵＣＣＨ上でスケジューリングされたチャネル状態情報（ＣＳＩ）報告に少なくとも部分的に基づいて、物理アップリンク共有チャネル（ＰＵＳＣＨ）上でアップリンク制御情報を送信すると決定するための手段
をさらに備える、Ｃ１６に記載の装置。
［Ｃ２９］
プロセッサと、
前記プロセッサと電子通信しているメモリと、
前記メモリに記憶された命令と
を備え、前記命令が、
６つ以上のダウンリンクコンポーネントキャリアをサポートするか、または二重物理アップリンク制御チャネル（ＰＵＣＣＨ）構成をサポートする能力をインジケーティングすることと、
ダウンリンクコンポーネントキャリアの第１のグループとダウンリンクコンポーネントキャリアの第２のグループとを備える、６つ以上のダウンリンクコンポーネントキャリアのマルチキャリア構成を受信することと、
第１のＰＵＣＣＨまたは第２のＰＵＣＣＨのうちの少なくとも１つを送信することと、前記第２のＰＵＣＣＨが前記第２のグループのダウンリンクコンポーネントキャリアに関連付けられる
を行うように前記プロセッサによって実行可能であり、前記第１のＰＵＣＣＨが前記第１のグループのダウンリンクコンポーネントキャリアに関連付けられる、ワイヤレス通信のための装置。
［Ｃ３０］
ワイヤレス通信のためのコンピュータ実行可能コードを記憶する非一時的コンピュータ可読媒体であって、前記コードが、
６つ以上のダウンリンクコンポーネントキャリアをサポートするか、または二重物理アップリンク制御チャネル（ＰＵＣＣＨ）構成をサポートする能力を指示することと、
コンポーネントキャリアの第１のグループとコンポーネントキャリアの第２のグループとを備える、６つ以上のダウンリンクコンポーネントキャリアのマルチキャリア構成を受信することと、
第１のＰＵＣＣＨまたは第２のＰＵＣＣＨのうちの少なくとも１つを送信することと、前記第１のＰＵＣＣＨが前記第１のグループのダウンリンクコンポーネントキャリアに関連付けられ、前記第２のＰＵＣＣＨが前記第２のグループのダウンリンクコンポーネントキャリアに関連付けられる
を行うようにプロセッサによって実行可能である、非一時的コンピュータ可読媒体。